(57)【要約】【目的】  従来に比べてセキュリティを向上させたホログラムを用いた真贋判定システムを提供することを目的としている。【解決手段】  第１のホログラム２は、第２のホログラム３の真贋判定を行う際に、第２のホログラム３のデータと干渉させるための透過型ホログラムであり、第２のホログラム３は、真贋判定される反射型ホログラムであり、光源４からの光（１）が第１のホログラム２を透過することなく第２のホログラム３にて反射され、その反射光（２）（３）が第１のホログラム２に対する参照光として第１のホログラム２に照射され、第１のホログラム２を透過した回折光（４）（５）が、撮像素子５で取得されて第２のホログラム３の真贋判定が行われる。【選択図】図１
2014029370.tif 000002
【特許請求の範囲】
【請求項１】
第１のホログラムと、第２のホログラムと、光源と、撮像素子とを有する真贋判定システムであって、
前記第１のホログラムは、前記第２のホログラムの真贋判定を行う際に、前記第２のホログラムのデータと干渉させるための透過型ホログラムであり、
前記第２のホログラムは、真贋判定される反射型ホログラムであり、
前記光源からの光が前記第２のホログラムにて反射され、その反射光が前記第１のホログラムに対する参照光として前記第１のホログラムに照射され、前記第１のホログラムを透過した回折光が、前記撮像素子で取得されて前記第２のホログラムの真贋判定が行われることを特徴とするホログラムを用いた真贋判定システム。
【請求項２】
前記第１のホログラム、前記光源、前記第２のホログラム及び前記撮像素子が同軸上に配置される請求項１記載のホログラムを用いた真贋判定システム。
【請求項３】
前記第１のホログラム及び前記光源は、前記第２のホログラムと前記撮像素子との間に配置される請求項１又は２に記載のホログラムを用いた真贋判定システム。
【請求項４】
前記第１のホログラムは、前記光源と前記撮像素子との間に配置される請求項３記載のホログラムを用いた真贋判定システム。
【請求項５】
前記第１のホログラムと前記光源とが同じプレートに配置される請求項１ないし４のいずれか１項に記載のホログラムを用いた真贋判定システム。
【請求項６】
前記第１のホログラムと前記光源とが前記プレートを挟んで対向している請求項５記載のホログラムを用いた真贋判定システム。
【請求項７】
前記第１のホログラム、前記光源、及び前記撮像素子が筐体内に組み込まれて本体部を構成している請求項１ないし６のいずれか１項に記載のホログラムを用いた真贋判定システム。
【請求項８】
前記第１のホログラム及び前記光源が筐体内に組み込まれて本体部を構成し、前記本体部が前記撮像素子に対して外付けされ、前記本体部には前記撮像素子との対向面に透過窓が設けられている請求項１ないし６のいずれか１項に記載のホログラムを用いた真贋判定システム。
【請求項９】
前記本体部には、前記第２のホログラムを備えたカードをかざす位置に、透過窓が設けられている請求項７又は８に記載のホログラムを用いた真贋判定システム。
【請求項１０】
前記本体部には、前記第２のホログラムを備えたカードを前記本体部内に挿入可能な挿入口が設けられている請求項７又は８に記載のホログラムを用いた真贋判定システム。
【発明の詳細な説明】
【技術分野】
【０００１】
本発明は、例えばパーソナルＩＤカードに付されたホログラムの真贋判定を行うシステムに関する。
【背景技術】
【０００２】
特許文献１には、ホログラムを用いた確認方法及び確認装置に関する発明が開示されている。
【０００３】
特許文献１の図１に示すように光源２からの光は、第１のホログラム１０に照射され、第１のホログラム１０の再生光３が第２のホログラム３０に照射される。そして第２のホログラム３０からの回折光４をデータ５として読み取っている。
【０００４】
この特許文献によれば、第２のホログラム３０はクレジットカードなどのカード１に取り付けられている。よってカード１を確認装置にかざすことで、第１のホログラム１０を透過した再生光３が第２のホログラム３０に対する参照光となり第１のホログラム１０と第２のホログラム３０との各データが干渉した回折光を得ることができる。
【０００５】
特許文献１によれば、［発明の効果］欄に、「１枚を確認される側が、もう１枚を確認する側が保有し、１枚のホログラムのみでは確認用データを得ることができないようにしたので、偽造は事実上不可能となり、偽造防止効果を格段に向上させることができる」と記載されている。
【先行技術文献】
【特許文献】
【０００６】
【特許文献１】特開平６−１１０３７７号公報
【発明の概要】
【発明が解決しようとする課題】
【０００７】
しかしながら特許文献１に開示されたホログラムを用いた確認装置では、第１のホログラム１０を透過した光（再生光３）が、外に漏洩するため、前記再生光３から、第１のホログラム１０に記録されたデータが盗難される恐れがあった。
【０００８】
そこで本発明は上記従来の課題を解決するためのものであり、従来に比べてセキュリティを向上させたホログラムを用いた真贋判定システムを提供することを目的としている。
【課題を解決するための手段】
【０００９】
本発明は、第１のホログラムと、第２のホログラムと、光源と、撮像素子とを有する真贋判定システムであって、
前記第１のホログラムは、前記第２のホログラムの真贋判定を行う際に、前記第２のホログラムのデータと干渉させるための透過型ホログラムであり、
前記第２のホログラムは、真贋判定される反射型ホログラムであり、
前記光源からの光が前記第２のホログラムにて反射され、その反射光が前記第１のホログラムに対する参照光として前記第１のホログラムに照射され、前記第１のホログラムを透過した回折光が、前記撮像素子で取得されて前記第２のホログラムの真贋判定が行われることを特徴とするものである。本発明によれば、光源からの光は第２のホログラムにて反射された後、その反射光が参照光として第１のホログラムに照射され、前記第１のホログラムを透過した回折光は、第１のホログラムと第２のホログラムとの双方に記録されたデータが干渉した干渉縞として撮像素子で取得される。撮像素子で取得された干渉縞のデータと保存データとを比較、照合して、両者が一致していれば、第２のホログラムは本物であると判定でき、両者が一致しなければ、第２のホログラムは贋物であると判定する。本発明では、第２のホログラムのデータと干渉させるための第１のホログラムのデータが外に漏洩することはない。このように本発明では、第１のホログラムに記録されたデータの漏洩を防止でき、従来に比べてセキュリティが高い真贋判定システムにできる。
【００１０】
本発明では、前記第１のホログラム、前記光源、前記第２のホログラム及び前記撮像素子が同軸上に配置されることが好ましい。このように本発明によれば各部材を同軸上に配置できる。一方、特許文献１に記載された発明では各部材を同軸上に配置することができない。すなわち特許文献１に示す光学系を形成するには、各部材を横方向にずらして配置しなければいけない。これに対し本発明のように各部材を同軸上に配置することで、各部材が横方向（同軸上に対して直交する方向）に広がることがなく、したがって真贋判定システムの小型化を実現できる。
【００１１】
また本発明では、前記第１のホログラム及び前記光源は、前記第２のホログラムと前記撮像素子との間に配置されることが好ましい。これにより光源からの光をまず第２のホログラムにて反射させ、その反射光を第１のホログラムにて透過させて、前記第１のホログラムからの回折光を撮像素子にて読み取る光学系を得るのに各部材の簡単な配列で達成できる。
【００１２】
上記において、前記第１のホログラムは、前記光源と前記撮像素子との間に配置されることが好ましい。これにより、特に、各部材を同軸上に配置した際、特別な工夫をせずとも、光源からの光を、第２のホログラムにて反射させた後、第１のホログラムを透過した回折光を得ることができる。
【００１３】
また本発明では、前記第１のホログラムと前記光源とが同じプレートに配置されることが好ましい。第１のホログラムと光源とを簡単に真贋判定システム内に配置でき、また、第１のホログラムと光源間の位置合わせも簡単にできる。
【００１４】
また上記において本発明では、前記第１のホログラムと前記光源とが前記プレートを挟んで対向していることが好ましい。このように第１のホログラムと光源とを横方向に並設せず、プレートの表裏面に配置したことで、真贋判定システムの小型化を促進できる。
【００１５】
また本発明では、前記第１のホログラム、前記光源、及び前記撮像素子が筐体内に組み込まれた本体部を構成でき、あるいは、前記第１のホログラム及び前記光源が筐体内に組み込まれて本体部を構成し、前記本体部を前記撮像素子に対して外付する構成にできる。この場合、本体部には撮像素子との対向面に透過窓を設ける。
【００１６】
また上記において、前記本体部には、前記第２のホログラムを備えたカードをかざす位置に、透過窓が設けられている構成にでき、あるいは、前記本体部には、前記第２のホログラムを備えたカードを前記本体部内に挿入可能な挿入口が設けられている構成にできる。
【発明の効果】
【００１７】
本発明によれば、光源からの光は第２のホログラムにて反射された後、その反射光が参照光として第１のホログラムに照射され、前記第１のホログラムを透過した回折光は、第１のホログラムと第２のホログラムとの双方に記録されたデータが干渉した干渉縞として撮像素子で取得される。撮像素子で取得された干渉縞のデータと保存データとを比較、照合して、両者が一致していれば、第２のホログラムは本物であると判定でき、両者が一致しなければ、第２のホログラムは贋物であると判定する。本発明では、第２のホログラムのデータと干渉させるための第１のホログラムのデータが外に漏洩することはない。このように本発明では、第１のホログラムに記録されたデータの漏洩を防止でき、従来に比べてセキュリティが高い真贋判定システムにできる。
【図面の簡単な説明】
【００１８】
【図１】図１は、本発明における第１実施形態のホログラムを用いた真贋判定システムの模式図である。
【図２】図２は、本発明における第２実施形態のホログラムを用いた真贋判定システムの模式図である。
【図３】図３は、本発明における第３実施形態のホログラムを用いた真贋判定システムの模式図である。
【図４】図４は、本発明における第４実施形態のホログラムを用いた真贋判定システムの模式図である。
【図５】図５は、本発明における第５実施形態のホログラムを用いた真贋判定システムの模式図である。
【図６】図６は、本発明における第６実施形態のホログラムを用いた真贋判定システムの模式図である。
【図７】図７は、本発明における第７実施形態のホログラムを用いた真贋判定システムの模式図である。
【発明を実施するための形態】
【００１９】
図１は、本発明における第１実施形態のホログラムを用いた真贋判定システムの模式図である。
【００２０】
図１に示すホログラムを用いた真贋判定システム１は、第１のホログラム２と、第２のホログラム３と、光源４と、撮像素子５とを有して構成される。
【００２１】
図１に示す第１の実施形態では、第１のホログラム２、光源４及び撮像素子５が同じ筐体６内に組み込まれて本体部７を構成している。
【００２２】
図１に示すように、本体部７内では、光源４と撮像素子５との間に第１のホログラム２が配置されている。
【００２３】
また図１に示すように、筐体６には、光源４側の上面６ａに透過窓８が設けられている。この透過窓８は、光源４からの光を透過可能な材質、構成となっている。そして第２のホログラム３を透過窓８にかざすことができるようになっている。
【００２４】
図１は、第２のホログラム３の真贋判定を行うために、第２のホログラム３を本体部７の透過窓８にかざした状態を示している。
【００２５】
図１に示すように、第１のホログラム２、第２のホログラム３、光源４及び撮像素子５は同軸Ａ上に配置された状態となっている。各部材は、夫々、軸Ａ方向に間隔を空けて配置されている。ここで同軸Ａ上とは、第１のホログラム２、第２のホログラム３、光源３及び撮像素子５の各部材の中心が同じ軸上に一致した状態を指す。また同軸については、「同一の光軸」と定義することもできる。なお「同軸」については製造誤差等の多少のずれを許容できる。  
図１に示すように、図示下方から上方に向けて、撮像素子５、第１のホログラム２、光源４、第２のホログラム３の順に並んでいる。
【００２６】
図１に示す第１のホログラム２は、所定厚を備える板状のプレート９の下面９ａに設けられている。また光源４はプレート９の上面９ｂに設けられている。このように、同じプレート９の表裏面に第１のホログラム２と光源４とが設けられている。
【００２７】
プレート９は、透光性の材質である。図１に示すように光を透過する必要があるためである。
【００２８】
プレート９は図示しない支持部材により本体部７内にて固定支持されている。
【００２９】
第１のホログラム２は透過型ホログラムであり、第２のホログラム３は反射型ホログラムである。
【００３０】
透過型ホログラム及び反射型ホログラムは、ホログラム記録層にデータを記録する際、参照光と物体光のホログラム記録層に対する照射方向を異ならせてホログラム記録層内での厚さ方向に対する干渉縞の方向を変えることで得ることができ、既存の方法を用いて製造できる。
【００３１】
第２のホログラム３はカード１０に設けられる。カード１０はクレジットカード等のパーソナルＩＤカードやカードキー等であるが特に種類を限定するものではない。
【００３２】
第２のホログラム３は、図１に示す真贋判定システム１にて、個人認証等の真贋判定がされる側である。一方、第１のホログラム２は、第２のホログラム３の真贋判定を行う際、第２のホログラム３のデータと干渉させて、真贋判定データとなる干渉縞を作るためのいわばマスターキーとしての役割を担っている。例えばカード１０がマンションのカードキーである場合、カード１０は住人が持っており、第１のホログラム２を有するプレート９、あるいは、第１のホログラム２を有する本体部７はマンションの管理人側が保有していたり、マンションの玄関先に備えつけられた構成となっている。
【００３３】
図１に示すように、光源４から発せられた（参照光）（１）は、透過窓８を介して第２のホログラム３に向けて照射される。このとき反射型ホログラムである第２のホログラム３の干渉縞にて参照光（１）が回折して、反射光（回折光）（２）（３）を得ることができる。
【００３４】
図１の実施形態では、第２のホログラム３に異なる複数のデータが記録されており、各データの干渉縞で回折した複数の反射光（回折光）（２）（３）を得ることができる。図１では、反射光（回折光）（２）は平行光となり、反射光（回折光）（３）は発散光となっている。
【００３５】
反射光（回折光）（２）（３）は、位相及び光の強度データを含んでいる。図１に示すように反射光（回折光）（２）（３）は、第１のホログラム２に到達する。反射光（回折光）（２）（３）は、第１のホログラム２に対しては参照光として作用する。第１のホログラム２は透過型ホログラムであるから図１のように、光が第１のホログラム２を厚み方向に透過して、第１のホログラム２の下面側から複数の回折光（４）（５）を得ることができる。
【００３６】
第１のホログラム２から得られた各回折光（４）（５）は、第２のホログラム３のデータと干渉したものであり、すなわち撮像素子５にて読み取られる干渉縞は、第１のホログラム２と第２のホログラム３の各データの位相が一致した部分では波が強めあい、異なっている部分では波が弱めあった第１のホログラム２と第２のホログラム３の複合データとして現れる。
【００３７】
撮像素子５は、ＣＣＤやＣＭＯＳなどの画像センサである。撮像素子５にて読みだされた画像データが、あらかじめ登録されている画像データと一致するか否か判定する。一致していれば、第２のホログラム３は本物であると判定し、一致しなければ贋物であると判定する。
【００３８】
なお図１に示す真贋判定システム１には、画像データを登録し、画像データの照合、比較を行うための制御部が設けられている。例えばルックアップテーブルを用いた画像データ処理（アルゴリズム）にて行うことができる。
【００３９】
このように図１に示す実施形態では、光源４からの光（参照光）（１）は第２のホログラム３にて反射された後、その反射光（２）（３）が参照光として第１のホログラム２に照射され、第１のホログラム２を透過した回折光（４）（５）は、第１のホログラム２と第２のホログラム３との双方に記録されたデータが干渉した干渉縞として撮像素子５で取得される。そして本実施形態の真贋判定システム１によれば、第２のホログラム３のデータと干渉させるための第１のホログラム２のデータが外に漏洩することはない。したがって、第１のホログラム２に記録されたデータの漏洩を防止でき、従来に比べてセキュリティが高い真贋判定システム１にできる。
【００４０】
図１に示すように本実施形態では、第１のホログラム２、光源４、第２のホログラム３及び撮像素子５を同軸Ａ上に配置できる。このため、光源４からの光（参照光）（１）、第２のホログラム３からの反射光（回折光）（２）（３）、及び第１のホログラム２からの回折光（４）（５）はすべて同じ方向の光軸（軸Ａに一致している）を持っている。このように、各部材を同軸Ａ上に配置したことで、各部材を横方向（同軸Ａ上に対して直交する方向；例えば光軸に対して直交する方向）にずらして配置しなくてもよく、したがって真贋判定システム１の小型化を実現できる。
【００４１】
また図１に示すように、第１のホログラム２及び光源４は、第２のホログラム３と撮像素子５との間に配置される。また図１では、第１のホログラム２を光源４と撮像素子５との間に配置している。これにより、光源４からの光（参照光）（１）を、第１のホログラム２を透過することなく第２のホログラム３に照射でき、続いて、第２のホログラム３からの反射光（回折光）（２）（３）を参照光として第１のホログラム２に照射できる光学系を簡単に得ることができ、このような光学系を得るのに特に各部材に特別な工夫を施さなくても、各部材を同軸Ａ上に配置させることができ、真贋判定システム１の小型化を効果的に促進することができる。
【００４２】
また図１では、第１のホログラム２と光源４とを同じプレート９に配置した。図１に示すように、第１のホログラム２と光源４とをプレート９の表裏面にて配置することで、第１のホログラム２と光源４とが同軸Ａ上となるように、第１のホログラム２と光源４とを適切かつ容易に位置合わせでき、かつ第１のホログラム２及び光源４を別々に支持する必要がなく、プレート９を支持する支持機構を設ければよいので、支持機構が複雑にならずかつ小型化を実現できる。
【００４３】
図１では、第１のホログラム２、光源４、及び撮像素子５とが同じ筐体６内に組み込まれて本体部７を構成しているが、図２（図１に示す構成の変形例）に示すように、本体部７に第１のホログラム２と光源４を配置し、本体部７が撮像素子５に対して外付けされる構成にすることも可能である。
【００４４】
図２に示す形態では、筐体６の下面６ｂ側（第１のホログラム２側）にも、光を透過可能な透過窓１１が設けられており、第１のホログラム２からの回折光（４）（５）は透過窓１１を透過して撮像素子５にて取得される。
【００４５】
図２に示す撮像素子５は電子機器に取り付けられたデジタルカメラ等であるが特に限定するものではない。
【００４６】
また図３は図１に示す形態の一部を変形したものであり、図３に示す形態では、光源４がプレート９から分離されている。そして光源４は図示しない支持機構にて筐体６内で固定支持されている。図３に示す形態では筐体６に、第１のホログラム２が設けられたプレート９を挿抜可能な挿入口６ｃが設けられており、プレート９を交換可能となっている。図３の構成によれば必要に応じてマスターキーに対応する第１のホログラム２を変更することが可能である。
【００４７】
図４は図３の変形例であり、図２と同様に第１のホログラム２と光源４とを有する本体部７が撮像素子５に外付けされる構成である。
【００４８】
図５は図１の変形例であり、図５では、筐体６に第２のホログラム３が付いたカード１０を本体部７内に挿入可能な挿入口１２が設けられており、第２のホログラム３を本体部７内に挿入することができる。
【００４９】
図５の構成では、本体部７内に、第１のホログラム２、第２のホログラム３、光源４及び撮像素子５を組み込むことができる。
【００５０】
図６は図２の変形例であり、図６では、筐体６に第２のホログラム３が付いたカード１０を本体部７内に挿入可能な挿入口１２が設けられており、第２のホログラム３を本体部７内に挿入することができる。
【００５１】
図６の構成では、本体部７内に、第１のホログラム２、第２のホログラム３、及び光源４を組み込むことができる。そして本体部７は撮像素子５に対して外付けされる。
【００５２】
図７に示す形態は、光源４が、第１のホログラム２と撮像素子５との間に位置しており、図示下方から上方に向けて、撮像素子５、光源４、第１のホログラム２及び第２のホログラム３の順に配置されている。
【００５３】
図７の構成では、光源３からの光（参照光）（１）が第１のホログラム２を透過しないように、第２のホログラム２を、第２のホログラム２ａと２ｂとに分離し、その間を参照光（１）が通るように、第２のホログラム２の形態を工夫している。これにより、光源４からの光が最初、第２のホログラム３に達して、第２のホログラム３にて反射した反射光（回折光）（２）（３）を第１のホログラム２に参照光として照射し、そして第１のホログラム２から回折光（４）（５）を得ることができる光学系を形成でき、このように、第１のホログラム２のデータが外に漏れることがないため、第１のホログラム２のデータが盗まれる心配がなく、高いセキュリティを維持することができる。
【００５４】
なお、第１のホログラム２を２ａと２ｂとに分離せず、例えば第１のホログラム２の中心に穴を開けた形状にすることもできる。
【符号の説明】
【００５５】
１  真贋判定システム
２  第１のホログラム
３  第２のホログラム
４  光源
５  撮像素子
６  筐体
７  本体部
８、１１  透過窓
９  プレート
１０  カード
１２  挿入口
Ａ  軸
（１）  光（参照光）
（２）（３）  反射光（回折光）
（４）（５）  回折光
【図１】
2014029370.tif 000003
【図２】
2014029370.tif 000004
【図３】
2014029370.tif 000005
【図４】
2014029370.tif 000006
【図５】
2014029370.tif 000007
【図６】
2014029370.tif 000008
【図７】
2014029370.tif 000009